(57)【要約】【課題】  車内での新たなオーディオ利用形態を提供し、ユーザの利便性を向上させることが可能なオーディオ再生機能付きナビゲーション装置及び情報端末、オーディオデータ再生方法、及びオーディオデータ再生設定方法を提供すること。【解決手段】  自車の現在位置を検出する位置検出器５、ルート探索・案内データを作成するナビゲーション部４、オーディオデータを再生するオーディオ部３、各種データを保存する記憶部２、ルート探索・案内データや再生曲の情報等を表示する表示部７、目的地や曲選択等を行う入力部８を備え、走行位置又は走行時刻に基づく条件設定によりオーディオ部３で再生する曲をあらかじめプログラム設定し、走行位置及び走行時刻並びにルート探索データとプログラム設定されたデータとを照合し、照合結果で一致が得られた場合に曲を自動再生する。【選択図】  図１
2006103520.tif 000002
【特許請求の範囲】
【請求項１】
車両の走行状態に基づく条件とオーディオ装置で再生するオーディオデータとが対応付けられた再生設定を記憶する再生設定記憶手段と、
前記車両の走行状態を検出する走行状態検出手段と、
前記検出された走行状態と前記記憶された再生設定とを照合する照合手段と、
前記検出された走行状態と前記記憶された再生設定とが一致した場合に前記走行状態に対応したオーディオデータを再生する再生手段と、
を備えるナビゲーション装置。
【請求項２】
請求項１記載のナビゲーション装置であって、
前記車両の走行状態は、前記車両の走行位置及び走行時刻の少なくとも一方を含むナビゲーション装置。
【請求項３】
請求項１又は２記載のナビゲーション装置であって、
前記再生設定記憶手段は、前記ナビゲーションと着脱可能に取り付けられる記憶媒体であり、前記照合手段は、前記記憶媒体から前記再生設定を読み出して照合を行うナビゲーション装置。
【請求項４】
地図データを記憶する地図データ記憶手段と、
前記地図データに基づいて、出発地点及び到着地点までのルート探索を行うルート探索手段と、
前記ルート探索手段により探索されたルート探索データに基づいて、車両の走行状態に基づく条件とオーディオ装置で再生するオーディオデータとを対応付けて再生設定を行う再生設定手段と、
を備える情報端末装置。
【請求項５】
請求項４記載の情報端末装置であって、
着脱可能な記憶媒体とのデータ通信を行う記憶媒体通信手段と、
前記再生設定手段により設定された前記再生設定を前記記憶媒体通信手段を介して前記記憶媒体に書き込む再生設定出力手段と、
を更に備える情報端末装置。
【請求項６】
前記車両の走行状態を検出するステップと、
前記検出された走行状態と、車両の走行状態に基づく条件とオーディオ装置で再生するオーディオデータとが対応付けられた再生設定とを照合するステップと、
前記検出された走行状態と前記記憶された再生設定とが一致した場合に前記走行状態に対応したオーディオデータを再生するステップと、
を備えるオーディオデータ再生方法。
【請求項７】
記憶されている地図データに基づいて、出発地点から到着地点までのルート探索を行うステップと、
前記ルート探索手段により探索されたルート探索データに基づいて、車両の走行状態に基づく条件とオーディオ装置で再生するオーディオデータとを対応付けて再生設定を行うステップと、
を備えるオーディオデータ再生設定方法。
【請求項８】
コンピュータに、請求項６又は７の各ステップを実行させるプログラム。
【発明の詳細な説明】
【技術分野】
【０００１】
本発明はオーディオ再生機能付きナビゲーション装置及び情報端末、オーディオデータ再生方法、及びオーディオデータ再生設定方法に関する。
【背景技術】
【０００２】
近年、車載されるナビゲーション装置にオーディオ再生装置を伴うものが増えてきている。これにより、ユーザはナビゲーション装置で様々なソースの音楽を聴きながら車を運転する機会が増えている（例えば、特許文献１参照）。また、外部の記憶媒体から地図データや映像・オーディオデータをナビゲーション装置に取り込むことで豊富なデータをナビゲーション装置本体に保存することができる。
【特許文献１】特開２００２−１３３８３４号公報
【発明の開示】
【発明が解決しようとする課題】
【０００３】
しかしながら、従来のオーディオ装置とナビゲーション装置は互いに情報のやり取りは行わず、オーディオ装置は決められた順序で曲を再生し続けるだけである。また、ユーザが操作を行わない限りオーディオソースの切替えは行われない。
【０００４】
本発明は、上記従来の事情に鑑みてなされたものであって、車内での新たなオーディオ利用形態を提供し、ユーザの利便性を向上させることが可能なオーディオ再生機能付きナビゲーション装置及び情報端末、オーディオデータ再生方法、及びオーディオデータ再生設定方法を提供することを目的とする。
【課題を解決するための手段】
【０００５】
本発明のナビゲーション装置は、車両の走行状態に基づく条件とオーディオ装置で再生するオーディオデータとが対応付けられた再生設定を記憶する再生設定記憶手段と、前記車両の走行状態を検出する走行状態検出手段と、前記検出された走行状態と前記記憶された再生設定とを照合する照合手段と、前記検出された走行状態と前記記憶された再生設定とが一致した場合に前記走行状態に対応したオーディオデータを再生する再生手段と、を備える。
【０００６】
この構成により、自車の走行状態が設定条件に一致したときにオーディオデータを自動的に再生することができるため、走行中にオーディオ装置を操作することなく、車の走行状態に合わせて希望した曲が自動再生されることでユーザの利便性を向上させることができる。
【０００７】
また、本発明のナビゲーション装置において、前記走行状態は、前記車両の走行状態は、前記車両の走行位置及び走行時刻の少なくとも一方を含む。
【０００８】
この構成により、あらかじめ自車位置、現在時刻、目的地までの距離、時間などと再生させたいオーディオデータの再生とを関連付けて設定することができる。
【０００９】
また、本発明のナビゲーション装置において、前記再生設定記憶手段は、前記ナビゲーションと着脱可能に取り付けられる記憶媒体であり、前記照合手段は、前記記憶媒体から前記再生設定を読み出して照合を行う。
【００１０】
この構成により、外部の記憶媒体に記憶された設定により、自動再生を行うことができる。
【００１１】
本発明の情報端末装置は、地図データを記憶する地図データ記憶手段と、前記地図データに基づいて、出発地点及び到着地点までのルート探索を行うルート探索手段と、前記ルート探索手段により探索されたルート探索データに基づいて、車両の走行状態に基づく条件とオーディオ装置で再生するオーディオデータとを対応付けて再生設定を行う再生設定手段と、を備える。
【００１２】
この構成により、車載ナビゲーション装置等に対して、あらかじめ自車位置、現在時刻、目的地までの距離、時間などと再生させたいオーディオデータの再生とを関連付けて設定することができるため、希望する目的地までのルート探索データや再生させたいオーディオデータの設定と編集を乗車前にあらかじめ車外で行うことができる。
【００１３】
また、本発明の情報端末装置は、着脱可能な記憶媒体とのデータ通信を行う記憶媒体通信手段と、前記再生設定手段により設定された前記再生設定を前記記憶媒体通信手段を介して前記記憶媒体に書き込む再生設定出力手段と、を更に備える。
【００１４】
この構成により、再生設定を記憶した記憶媒体を用いて他の装置に対して再生設定を行うことができる。
【００１５】
本発明のオーディオデータ再生方法は、前記車両の走行状態を検出するステップと、前記検出された走行状態と、車両の走行状態に基づく条件とオーディオ装置で再生するオーディオデータとが対応付けられた再生設定とを照合するステップと、前記検出された走行状態と前記記憶された再生設定とが一致した場合に前記走行状態に対応したオーディオデータを再生するステップと、を備える。
【００１６】
この方法により、自車の走行状態が設定条件に一致したときにオーディオデータを自動的に再生することができるため、走行中にオーディオ装置を操作することなく、車の走行状態に合わせて希望した曲が自動再生されることでユーザの利便性を向上させることができる。
【００１７】
本発明のオーディオデータ再生設定方法は、記憶されている地図データに基づいて、出発地点から到着地点までのルート探索を行うステップと、前記ルート探索手段により探索されたルート探索データに基づいて、車両の走行状態に基づく条件とオーディオ装置で再生するオーディオデータとを関連付けて再生設定を行うステップと、を備える。
【００１８】
この方法により、車載ナビゲーション装置等に対して、あらかじめ自車位置、現在時刻、目的地までの距離、時間などと再生させたいオーディオデータの再生とを関連付けて設定することができるため、希望する目的地までのルート探索データや再生させたいオーディオデータの設定と編集を乗車前にあらかじめ車外で行うことができる。
【００１９】
また、本発明は、上記方法の各ステップを実行させるためのプログラムを提供するものである。
【発明の効果】
【００２０】
本発明によれば、車内での新たなオーディオ利用形態を提供し、ユーザの利便性を向上させることが可能なオーディオ再生機能付きナビゲーション装置及び情報端末、オーディオデータ再生方法、及びオーディオデータ再生設定方法を提供することができる。
【発明を実施するための最良の形態】
【００２１】
（第１の実施形態）
以下、本発明の実施の形態について図面を用いて説明する。図１は本発明の一実施の形態におけるナビゲーション装置と情報端末の構成を示すブロック図である。
【００２２】
図１において、ナビゲーション装置１は、記憶部２、オーディオ部３、ナビゲーション部４、位置検出器５、制御部６、表示部７、入力部８を備える。また、外部に記憶媒体９が接続されている。
【００２３】
記憶部２は、地図データ、ルートデータ、オーディオデータ、映像データなどナビゲーションやオーディオに関するデータを記憶しておく。記憶部２として、例えばハードディスクが使用される。
【００２４】
オーディオ部３は、記憶部２に保存されているオーディオデータや、記憶媒体９のオーディオデータを再生させる。記憶媒体９としては、ＣＤ、ＤＶＤ、ＭＤ、メモリカードなどが使用される。
【００２５】
ナビゲーション部４は、方向センサ、車速センサ、ＧＰＳなどの位置検出器５により、自車位置の検出及び目的地までのルート探索・案内データを算出する。
【００２６】
表示部７は自車位置や目的地までの経路、オーディオデータの再生情報などを表示し、入力部８はユーザが目的地やオーディオソースの選択や再生停止などを入力する。入力部８としてタッチパネルやリモコンなどが使用される。
【００２７】
制御部６はナビゲーション装置１全体を制御するマイクロプロセッサを備えており、記憶部２、オーディオ部３、ナビゲーション部４を制御し、表示部７への表示や入力部８からの入力処理、記憶媒体９との通信制御を行う。
【００２８】
さらに図１において、情報端末１０は、ＣＰＵ、ＲＯＭ、ＲＡＭ、通信手段を内蔵した制御部１１、ハードディスクやメモリなどの記憶装置１２、キーボードやポインティングデバイスを含む入力装置１３、ディスプレイなどの表示部１４、外部の記憶媒体９が着脱可能に装着される補助記憶装置１５を備える。
【００２９】
情報端末１０は、例えばパソコン、ＰＤＡ、携帯電話などであり、制御部１１の通信手段によりインターネットなどのネットワーク１６を通じて外部のサーバにアクセスすることができる。
【００３０】
以上のように構成されたナビゲーション装置の動作について、以下に説明する。まず、ナビゲーション動作の概略を説明する。入力部８で入力された目的地データがナビゲーション部４に送られ、ルート探索データが作成される。
【００３１】
位置検出器５で検出された自車位置がナビゲーション部４に送られ、目的地までのルート案内データが作成される。作成されたルート探索・案内データは自車位置と記憶部２の地図データとともに表示部７に表示される。
【００３２】
次にオーディオ動作について説明する。ユーザは入力部８でオーディオソース、再生したいオーディオデータを選択する。オーディオソースとしてはＣＤやＤＶＤ、ＭＤ、記憶部２に保存されているオーディオデータがある。
【００３３】
オーディオ部３では選択されたオーディオデータにアクセスし、再生した音声信号をアンプへ出力し、オーディオデータのタイトルや再生時間を表示部７に転送して表示する。
【００３４】
次に、車の走行位置や時刻などの走行状態に合わせて曲を自動再生させるナビゲーション部１における制御動作について、図２、図３を用いて説明する。図２は再生したい曲の指定方法の具体例を示す図であり、図３は本発明におけるナビゲーション装置の制御動作を示すフロー図である。
【００３５】
ユーザは走行中にオーディオ装置の操作をせずに再生する曲の選択を自動で行いたいとき、図２に示すように再生条件、優先順位に合わせて再生したい曲をあらかじめ指定する。再生条件としては、目的地までの距離や時間、走行している道路、走行中の時刻、ＶＩＣＳからの情報を基にした渋滞情報などを設定することができる。
【００３６】
曲の指定方法は、タグ、ＣＤテキストの曲情報を基にしたアルバム名、タイトル名、アーティスト名、ディスク番号、トラック番号などで指定できるようにする。指定された条件、優先順位、条件に関連付けられた曲に関するデータは記憶部２に記憶される。
【００３７】
図３において、ナビゲーション装置１は起動中、ナビゲーション部４と位置検出器５により、常に自車位置や車速など走行状態を検出し続けており（ステップＳ１）、この走行状態が再生条件と一致しているかを制御部６で確認する（ステップＳ２）。
【００３８】
走行状態が再生条件と一致した場合、一致する条件が複数あれば（ステップＳ３）、優先順位の高い条件を選択し（ステップＳ４）、関連付けされているオーディオデータをオーディオ部３で再生する（ステップＳ５）。すなわち、ナビゲーション装置１は走行中の位置や現在時刻、目的地までの距離や時間を基にして再生する曲を自動的に切り替える。この動作を再生停止命令（ステップＳ６）が発行されるまで続ける。
【００３９】
さらに、これらの再生条件は、車内に設置されたナビゲーション装置１だけでなく、外部の情報端末１０を用いて設定することができる。情報端末１０は目的地までルート探索を行う手段を備えており、ルート探索データより得られる目的地までの距離・時間等で再生条件を設定し、再生させたいオーディオデータとを関連付けることができる。その結果を補助記憶装置１５を介して記憶媒体９に記憶させる。
【００４０】
ナビゲーション装置１は記憶媒体９のデータを用いて図３に示す制御動作を実行することができる。これにより、ユーザは情報端末１０を用いて、乗車前にあらかじめ希望する目的地までのルート探索データと再生させたいオーディオデータを設定し、編集することができる。
【００４１】
このように、本実施の形態によれば、位置検出器５を備えたナビゲーション部４とオーディオデータを再生するオーディオ部３を用いて、自車の走行位置、現在時刻、目的地までの距離、時間などの走行状態に関連付けて再生させたいオーディオデータを設定、編集しておき、ナビゲーション部４により演算された自車位置、現在時刻に合わせて関連付けられたオーディオデータを自動再生するようにしたため、車の走行状態に合わせてユーザの希望した曲が自動再生される。
【００４２】
さらに、ユーザは運転中にオーディオソースの切替え操作を行わなくてよいため、運転の安全性が向上する。また、これらの編集作業を乗車してからではなく、車外であらかじめ編集設定しておくことができるため、ユーザの利便性が向上する。
【００４３】
なお、再生条件や再生条件に関連付けされたオーディオデータは記憶部２に記憶しておき、何度でも利用することができる。さらに再生条件は複数パターンを記憶しておき、ユーザがその複数パターンから選択できるようにしてもよい。
【００４４】
また、ナビゲーション装置１は自車の走行状態に合わせてオーディオデータの再生を行うだけでなく、自車の走行状態に合わせて音楽ビデオなどの映像データや画像データを表示部７に表示できるようにしてもよい。
【００４５】
また、記憶媒体９に記憶されたデータを利用するとき、ナビゲーション装置１はナビゲーション装置１のスロットに挿入された記憶媒体９に直接アクセスしてもよいし、一旦ナビゲーション装置１の記憶部２に記憶し直してもよい。
【００４６】
また、インターネットなどのネットワーク１６に接続している外部サーバからは、例えば最新の地図データ、飲食店や小売店、給油施設や駐車場などの多種多様な施設情報、あるいは映像データ、オーディオデータなどのマルチメディア情報をダウンロードすることができる。
【産業上の利用可能性】
【００４７】
本発明は、車内での新たなオーディオ利用形態を提供し、ユーザの利便性を向上させることが可能な効果を有し、オーディオ再生機能付きナビゲーション装置等に有用である。
【図面の簡単な説明】
【００４８】
【図１】本発明の実施の形態におけるナビゲーション装置と情報端末の構成を示すブロック図
【図２】本発明の実施の形態における再生したい曲の指定方法の具体例を示す図
【図３】本発明の実施の形態におけるナビゲーション装置の制御動作を示すフロー図
【符号の説明】
【００４９】
１  ナビゲーション装置
２  記憶部
３  オーディオ部
４  ナビゲーション部
５  位置検出器
６  制御部
７  表示部
８  入力部
９  記憶媒体
１０  情報端末
１１  制御部
１２  記憶装置
１３  入力装置
１４  表示部
１５  補助記憶装置
１６  ネットワーク
【図１】
2006103520.tif 000003
【図２】
2006103520.tif 000004
【図３】
2006103520.tif 000005